(57)【要約】【課題】物干し台の安定性の向上を図るとともに、収納を容易に行うことができる折り畳み式物干し台を提供する。【解決手段】左右一対の側面支持脚体と引き上げ脚体と上連結フレームと下連結ビームと物干竿からなり、左右側面支持脚体が近接状態に折り畳まれる物干し台において、接続リンクの一端が上連結フレームと連結され、他端が引き上げ脚体におけるリンク連結具に回動可能に連結されることにより、左右の接続リンクがＶ字形に形成されることを特徴とし、一方の側面支持脚体における垂直部上部に物干竿連結具を介して物干竿の一端部を連結するとともに、垂直部下部に他端を固定する物干竿固定具を有し、他方の側面支持脚体の垂直部上部に物干竿受け具を設け、一方の側面支持脚体の下部にアジャスター、他方の側面支持脚体の下部にキャスターを取付け、引き上げ脚体の下部が地面に当接するよう構成される構造とした。【選択図】図１  
0003102692.tif 000002
【実用新案登録請求の範囲】
【請求項１】
左右一対の側面支持脚体とその一対の側面支持脚体の中間に立設される引き上げ脚体と前記側面支持脚体と引き上げ脚体とを連結する上連結フレームと下連結ビームと側面支持脚体上部に架け渡す物干竿からなり、左右側面支持脚体が近接状態に折り畳まれる物干し台において、接続リンクはその一端が上連結フレームと連結され、他端が引き上げ脚体における上連結フレーム連結部と下連結ビーム連結部の間を上下移動するリンク連結具に回動可能に連結されることにより、左右の接続リンクがＶ字形に形成されることを特徴とする折り畳み式物干し台。
【請求項２】
前記引き上げ脚体の下部が地面に当接するよう構成されることを特徴とする請求項１記載の折り畳み式物干し台。
【請求項３】
一方の側面支持脚体において、垂直部上部に物干竿連結具を介して物干竿の一端部を回動可能に連結するとともに、垂直部下部に物干竿の他端部を固定するための物干竿固定具を有し、他方の側面支持脚体における垂直部上部に物干竿の他端部を支持固定する物干竿受け具を設けたことを特徴とする請求項１または２記載の折り畳み式物干し台。
【請求項４】
一方の側面支持脚体の下部にアジャスターを取付け、他方の側面支持脚体の下部にキャスターを取付けたことを特徴とする請求項１ないし３のいずれかに記載の折り畳み式物干し台
【考案の詳細な説明】
【技術分野】
【０００１】
本考案は物干し台に係るもので、特に安定性に優れ、収納時において容易に折り畳んで収納することができる折り畳み式物干し台に関するものである。
【背景技術】
【０００２】
従来の折り畳み式の物干し台として、特許第３３５５３５９号公報に開示されているように、一対の側脚枠と該各側脚枠の上下位置にそれぞれ上連結枠及び下連結枠を水平状態に枢着突設し、該各上連結枠の対向端部及び各下連結枠の対向端部間にそれぞれ上リンク及び下リンクを枢着架設し、該上下リンクの間に垂直杆を固定架設し、かつ、一方の上連結枠と他方の下連結枠との間及び一方の下連結枠と他方の下連結枠との間にそれぞれ接続リンクをＸ状に枢着架設し、該一対の接続リンクの中程部に該一対の接続リンクを開閉動作自在に枢着連結する枢軸を配設し、上記垂直杆の中程部に摺動長穴を形成し、該枢軸と該摺動長穴との摺動により各接続リンクを介して上下連結枠の上向回動を許容するとともに該枢軸と該摺動長穴の上面との当接により上下連結枠を水平に保持可能な保持機構を配設する構造のものが知られている。
【０００３】
しかしながら、垂直杆に上下リンクを固定し、上下連結枠を連結させ接続リンクを枢着架設する前記技術においては、使用時に中央部に荷重がかかると変形する恐れがあり、安定性を充分に確保しているとはいえない。また、接続リンクをＸ状に枢着架設する構造は多少の変形および歪曲が接続リンク全体に不具合を起こす可能性がある。
【０００４】
また、物干竿の不使用時あるいは収納時において物干竿は物干し台から分離されるため、収納スペースを確保する必要性があると同時に収納に手間がかかり、紛失するおそれもある。
【特許文献１】特許第３３５５３５９号公報
【考案の開示】
【考案が解決しようとする課題】
【０００５】
本考案は、このような問題点を解決しようとするもので、引き上げ脚体におけるリンク接続具と上連結フレームを連結する左右の接続リンクをＶ字形に形成し、引き上げ脚体の下部を地面に当接させ、一方の側面支持脚体の下部にアジャスター、他方の側面支持脚体の下部にキャスターを取付けることで安定性を向上させるとともに、不使用時に物干竿を側面支持脚体に支持固定できるよう固定具を設けることで収納を容易とする折り畳み式物干し台を提供することを目的とする。
【課題を解決するための手段】
【０００６】
上記課題を解決するために請求項１においては、左右一対の側面支持脚体とその一対の側面支持脚体の中間に立設される引き上げ脚体と前記側面支持脚体と引き上げ脚体とを連結する上連結フレームと下連結ビームと側面支持脚体上部に架け渡す物干竿からなり、左右側面支持脚体が近接状態に折り畳まれる物干し台において、接続リンクはその一端が上連結フレームと連結され、他端が引き上げ脚体における上連結フレーム連結部と下連結ビーム連結部の間を上下移動するリンク連結具に回動可能に連結されることにより、左右の接続リンクがＶ字形に形成される構造とした。
【０００７】
請求項２は上記引き上げ脚体下部が地面に当接するよう構成した。
【０００８】
請求項３は一方の側面支持脚体において、垂直部上部に物干竿連結具を介して物干竿の一端部を回動可能に連結するとともに、垂直部下部に物干竿の他端部を固定するための物干竿固定具を有し、他方の側面支持脚体における垂直部上部に物干竿の他端部を支持固定する物干竿受け具を設けることを特徴とする。
【０００９】
請求項４は一方の側面支持脚体の下部にアジャスターを取付け、他方の側面支持脚体の下部にキャスターを取付けることを特徴とする。
【考案の効果】
【００１０】
本考案の折り畳み式物干し台は、引き上げ脚体のリンク連結具と上連結フレームを連結する左右の接続リンクをＶ字形に形成することにより、展開及び折り畳み作業を円滑にするとともに展開時に平衡状態を維持し、引き上げ脚体の下部が地面に当接するように構成することで、使用時に中心部に過度の荷重がかかっても変形や歪曲が発生することを防止している。
【００１１】
また、一方の側面支持脚体の垂直部上部で物干竿の一端部を回動可能に連結し、下部に物干竿の他端部を固定する物干竿固定具を有し、他方の側面支持脚体の垂直部上部に物干竿の他端部を支持固定する物干竿受け具を設けることで、物干竿の使用時は他方の側面支持脚体の上部に支持固定され水平状態を維持し、不使用時または収納時には物干竿は側面支持脚体の側方に垂直に支持固定するので収納時の手間を省くと同時に物干竿を紛失することが無く、一方の側面支持脚体の下部をアジャスター、他方をキャスターで構成することで物干し台全体が不用意に移動することが無く、安定かつ安全に使用することができる。
【考案を実施するための最良の形態】
【００１２】
左右一対の側面支持脚体と引き上げ脚体と上連結フレームと下連結ビームと物干竿からなり、左右側面支持脚体が近接状態に折り畳まれる物干し台において、接続リンクはその一端が上連結フレームと連結され、他端が引き上げ脚体における上連結フレーム連結部と下連結ビーム連結部の間を上下移動するリンク連結具に回動可能に連結されることにより、左右の接続リンクがＶ字形に形成されることを特徴とし、一方の側面支持脚体において、垂直部上部に物干竿連結具を介して物干竿の一端部を回動可能に連結するとともに、垂直部下部に物干竿の他端部を固定するための物干竿固定具を有し、他方の側面支持脚体における垂直部上部に物干竿の他端部を支持固定する物干竿受け具を設け、一方の側面支持脚体の下部にアジャスターを取付け、他方の側面支持脚体の下部にキャスターを取付け、前記引き上げ脚体の下部が地面に当接するよう構成される構造とした。
【実施例１】
【００１３】
以下、考案の実施の形態を図面を参照して説明する。図１は本考案の実施例にかかる折り畳み式物干し台の使用時における斜視図であり、図2は引き上げ脚体を引き上げる途中の状態を示す斜視図、図3は収納状態における斜視図、図4と図5は折り畳み部の拡大図である。１・１は左右一対の側面支持脚体であり、一方の側面支持脚体１の垂直部上方に物干竿連結具３ａ・３ａ、垂直部下方に物干竿固定具３ｃ・３ｃ、アジャスター６・６が取付けられ、他方の側面支持脚体１の垂直部上方に物干竿受け具３ｂ・３ｂ、キャスター７・７が取付けられる。２は引き上げ脚体、４ａ・４ｂは上連結フレーム、５ａ・５ｂは下連結ビームであり、引き上げ脚体２は側面支持脚体１・１の中間部に立設され下部が地面に当接し、上連結フレーム４ａ・４ｂと下連結ビーム５ａ・５ｂが側面支持脚体１・１と引き上げ脚体２を上下並行に回動可能な状態で連結している。また、引き上げ脚体２と上連結フレーム４ａ・４ｂは引き上げ脚体２の垂直部に設けられたリンク連結具９・９と上連結フレーム４ａ・４ｂの引き上げ脚体２近傍部に回動可能に取り付けられる接続リンク８ａ・８ｂで連結される。
【００１４】
３は物干竿であり、一端は物干竿連結具３ａ・３ａによって側面支持脚体１側方上部に回動可能に連結されている。使用時においては物干竿３の他端が他方の側面支持脚体１側方上部に取付けられている物干竿受け具３ｂ・３ｂによって支持される。不使用時または収納時においては物干竿３の他端が側面支持脚体１側方下部に取付けられている物干竿固定具３ｃ・３ｃに固定支持され、物干竿３全体が側面支持脚体１の垂直部側方に固定される状態となる。
【００１５】
収納する際は引き上げ脚体２を上方に引き上げることにより、連結している上連結フレーム４ａ・４ｂと下連結ビーム５ａ・５ｂが引き上げられると同時に図４と図５で示すように接続リンク８ａ・８ｂ各下部に連結しているリンク連結部９が使用状態の位置よりも下方に移動する。この一連の動きにおいて引き上げ脚体２とキャスター７付きの側面支持脚体１が他方の側面支持脚体１寄りに引寄せられ、図３で示す状態となる。  
【産業上の利用可能性】
【００１６】
折り畳み可能な物干し台の安定性かつ安全性を向上させ、かつ物干竿を側面支持枠の側方に固定支持することで収納時の手間とスペースを省くことができる。
【図面の簡単な説明】
【００１７】
【図１】本考案の使用状態を示す斜視図
【図２】折り畳む過程を示す斜視図
【図３】折り畳んだ状態を示す斜視図
【図４】使用状態における引き上げ脚体部の拡大斜視図
【図５】折り畳み過程における引き上げ脚体部の拡大斜視図
【符号の説明】
【００１８】
１…側面支持脚体
２…引き上げ脚体
３…物干竿
３ａ…物干竿連結具
３ｂ…物干竿受け具
３ｃ…物干竿固定具
４ａ・４ｂ…上連結フレーム
５ａ・５ｂ…下連結ビーム
６…アジャスター
７…キャスター
８ａ・８ｂ…接続リンク
９…リンク接続具
１０…桟
【図１】
0003102692.tif 000003
【図２】
0003102692.tif 000004
【図３】
0003102692.tif 000005
【図４】
0003102692.tif 000006
【図５】
0003102692.tif 000007